(57)【要約】【課題】遊技機において遊技者が明確に認識でき、インパクトある演出効果を与えることができる操作感触変更ユニットおよび操作スイッチ装置および遊技機の提供を目的とする。【解決手段】操作感触変更ユニットＵ３の回転ケース６０を水平回転させて、回転パネル６２の挿入孔６２ａ〜６２ｄを、ケース４０の挿通孔４５と連通する位置に順次回転移動するか、所望する挿入孔を挿通孔４５と連通する停止位置に回転移動する。スイッチユニットＵ１の操作ボタン部Ｕ２を押下操作した際、例えば操作荷重を付与しないか、復帰バネ６５ａの高負荷を付与するか、永久磁石６６ｂの初期荷重を付与するか、板バネ６７Ｂの当接部６７Ｂｂがスカート部６８の突起６８ａを乗り越えさせる際に変則負荷を付与する。これにより、操作ボタン部Ｕ２に対し付与される操作荷重が異なるので、遊技者にインパクトのある演出効果を与えることができる。【選択図】図１１
2012029817.tif 000002
【特許請求の範囲】
【請求項１】
回転ケースの内側に、該回転ケースの周方向に等間隔に複数の押下部を配置し、
該各押下部を、前記回転ケースの内側中心部を中心として該内側を複数に分割してなる各収納室に対し上下移動可能に収納し、
前記回転ケースの上面に、該回転ケースの上面側中心部を中心として前記押下部の上端が挿入される挿入孔を周方向に等間隔に配列し、
前記回転ケースを、該回転ケースが収納される大きさに形成した上面開放型のケース保持部に対し水平回転可能に収納し、
前記ケース保持部に、該ケース保持部に収納された前記回転ケースを水平回転させ、該回転ケースに形成した一つの挿入孔を予め設定された停止位置に回転移動するケース回転手段を設け、
前記各収納室に、該各収納室に収納された各押下部に対し異なる操作荷重を付与する操作荷重付与手段を設けた
操作感触変更ユニット。
【請求項２】
前記操作荷重付与手段を、前記１つの押下部に永久磁石を固定し、該永久磁石により吸着可能な素材で前記挿入孔が形成された部分を構成した
請求項１に記載の操作感触変更ユニット。
【請求項３】
前記操作荷重付与手段を、前記１つの押下部の側面に沿って上下方向に凹凸を形成し、該押圧部の側面と対向する位置に該凹凸に対し係合する板バネを配置して構成した
請求項１に記載の操作感触変更ユニット。
【請求項４】
遊技者が操作する操作ボタンと、該操作ボタンを上下移動可能に収納するケーシングと、該操作ボタンの押下操作を検知する押下検知部と、該操作ボタンを初期位置に戻すための復帰手段とを備えた操作スイッチ装置において、
前記ケーシングの下面に、前記操作ボタンの底面に突出した突出部が挿通される挿通孔を形成し、
前記ケーシングの挿通孔と、前記請求項１〜３のいずれか一つに記載の操作感触変更ユニットの回転ケースに形成した一つの挿入孔とを連通させて、該ケーシングの下面に前記操作感触変更ユニットのケース保持部を固定した
操作スイッチ装置。
【請求項５】
請求項４に記載の操作スイッチ装置と、
遊技媒体の投入を受け付ける遊技媒体投入部と、
遊技を行う遊技部と、
遊技結果に基づく遊技媒体の払い出しを行う遊技媒体払い出し部と、
前記モータの回転を制御して前記操作スイッチの動作制御を行う制御部とを備えた
遊技機。
【発明の詳細な説明】
【技術分野】
【０００１】
この発明は、例えばパチンコ遊技機などの遊技媒体を用いる遊技機に設けられる操作感触変更ユニットおよび該操作感触変更ユニットを備えた操作スイッチ装置、および該操作スイッチ装置を備えた遊技機に関し、さらに詳しくは遊技機の演出効果を高める操作感触変更ユニットおよび操作スイッチ装置および遊技機に関する。
【背景技術】
【０００２】
従来、遊技機としてパチンコ遊技機が広く普及している。このパチンコ遊技機は、ボタン部を有する押しボタンスイッチが設けられている。このパチンコ遊技機は、遊技者に対してゲーム中にボタン部を点滅する等の演出を行うことにより、遊技者に対してゲームへの期待感等を持たせている。
【０００３】
このような演出の一つとして、押しボタンスイッチの操作荷重を変化させる遊技用押ボタンスイッチが提案されている（特許文献１参照）。この遊技用押ボタンスイッチは、特許文献１の図２に示すように、操作ボタン１０の圧縮バネ１２１のセット長をソレノイド１２２で変化させて操作荷重を変えている。上記構造でのソレノイド１２２の可動距離では、圧縮バネ１２１のセット長が短く、バネ力の範囲内で操作荷重を変化させることになる。このため、所定のストロ−クでバネ力を変化させても、操作荷重が変化したことを遊技者は判りにくいという問題がある。
【先行技術文献】
【特許文献】
【０００４】
【特許文献１】特開２００６−２８０７５２号公報
【発明の概要】
【発明が解決しようとする課題】
【０００５】
この発明は、操作ボタンの操作荷重を遊技者が感じられるほど極端に変化させることができるとともに、その操作荷重を複数パターンに変化させることができる操作感触変更ユニットおよび操作スイッチ装置および遊技機を提供し、遊技者にインパクトのある演出効果を与えることを目的とする。
【課題を解決するための手段】
【０００６】
この発明は、回転ケースの内側に、該回転ケースの周方向に等間隔に複数の押下部を配置し、該各押下部を、前記回転ケースの内側中心部を中心として該内側を複数に分割してなる各収納室に対し上下移動可能に収納し、前記回転ケースの上面に、該回転ケースの上面側中心部を中心として前記押下部の上端が挿入される挿入孔を周方向に等間隔に配列し、前記回転ケースを、該回転ケースが収納される大きさに形成した上面開放型のケース保持部に対し水平回転可能に収納し、前記ケース保持部に、該ケース保持部に収納された前記回転ケースを水平回転させ、該回転ケースに形成した一つの挿入孔を予め設定された停止位置に回転移動するケース回転手段を設け、前記各収納室に、該各収納室に収納された各押下部に対し異なる操作荷重を付与する操作荷重付与手段を設けた操作感触変更ユニットであることを特徴とする。
【０００７】
上記構成によれば、ケース保持部の回転ケースを、ケース回転手段により水平回転させて、回転ケースに形成した１つの挿入孔を予め設定された停止位置に回転移動する。その挿入孔に挿入された押下部を押下操作した際、操作荷重付与手段により押下部に対し異なる操作荷重が付与される。
【０００８】
つまり、複数の押下部に対し付与される操作荷重が異なるので、例えば押下部を押し下げる操作ボタンにも異なる操作荷重が付与されることになる。  
これにより、操作ボタンの操作荷重を遊技者が感じられるほど極端に変化させることができるとともに、該操作荷重を複数パターンに変化させることができる。
【０００９】
この発明の態様として、前記操作荷重付与手段を、前記１つの押下部に永久磁石を固定し、該永久磁石により吸着可能な素材で前記挿入孔が形成された部分を構成することができる。
【００１０】
上記構成によれば、押下部を押下操作する際、永久磁石の吸着力に抗して、押下部が挿入孔から強制的に引き離すので、大きな初期荷重が付加されることになる。  
これにより、押下部に対し初期負荷の操作荷重を付与することができる。
【００１１】
また、この発明の態様として、前記操作荷重付与手段を、前記１つの押下部の側面に沿って上下方向に凹凸を形成し、該押圧部の側面と対向する位置に該凹凸に対し係合する板バネを配置して構成することができる。
【００１２】
上記構成によれば、押下部を押下操作する際、板バネの復元力に抗して、該板バネが押下部の凹凸を順次乗り越えるので、乗り越える際に変則負荷が断続して付与されることになる。  
これにより、押下部に対し変則負荷による操作荷重が断続して付与することができるので、断続的な感触を得ることができる。
【００１３】
また、この発明は、遊技者が操作する操作ボタンと、該操作ボタンを上下移動可能に収納するケーシングと、該操作ボタンの押下操作を検知する押下検知部と、該操作ボタンを初期位置に戻すための復帰手段とを備えた操作スイッチ装置において、前記ケーシングの下面に、前記操作ボタンの底面に突出した突出部の挿通が許容される挿通孔を形成し、前記ケーシングの挿通孔と、操作感触変更ユニットの回転ケースに形成された一つの挿入孔とを連通させて、該ケーシングの下面に前記操作感触変更ユニットのケース保持部を固定した操作スイッチ装置であることを特徴とする。
【００１４】
上記構成によれば、ケース保持部の回転ケースを、ケース回転手段により水平回転させて、回転ケースに形成した１つの挿入孔を、ケーシングの挿通孔と連通する停止位置に回転移動する。  
この時、操作ボタンを押下操作して、操作ボタンの突出部をケーシングの挿通孔よりも下方に突出し、該突出部の下端を回転ケースの挿入孔に挿入された押下部の上端に当接する。その突出部の当接によって押下部を押し下げるとともに、操作ボタンの押下操作によって押し下げられる押下部に対し操作荷重付与手段によって操作荷重を付与する。
【００１５】
つまり、複数の押下部に対し付与される操作荷重が異なるので、その押下部を押し下げる操作ボタンにも異なる操作荷重が付与されることになる。  
これにより、操作ボタンの操作荷重を遊技者が感じられるほど極端に変化させることができるとともに、該操作荷重を複数パターンに変化させることができる。
【００１６】
また、この発明は、操作スイッチ装置と、遊技媒体の投入を受け付ける遊技媒体投入部と、遊技を行う遊技部と、遊技結果に基づく遊技媒体の払い出しを行う遊技媒体払い出し部と、前記ケース回転手段の回転を制御して前記操作スイッチの動作制御を行う制御部とを備えた遊技機とすることができる。
【００１７】
上記構成によれば、制御部によりケース回転手段の回転を制御する場合、例えば回転ケースに形成された複数の挿入孔を、ケーシングの挿通孔と連通する停止位置に順次回転移動するか、あるいは複数の中から選択した所望する挿入孔を、ケーシングの挿通孔と連通する停止位置に回転移動するなど、種々の制御とすることができる。  
これにより、操作スイッチ装置による効果の高い演出を実行する遊技機を提供でき、遊技者の満足度を向上させることができる。
【発明の効果】
【００１８】
この発明によれば、操作ボタンの操作荷重を遊技者が感じられるほど極端に変化させることができるとともに、その操作荷重を複数パターンに変化させることができる操作感触変更ユニットおよび操作スイッチ装置および遊技機を提供し、遊技者にインパクトのある演出効果を与えることができる。
【図面の簡単な説明】
【００１９】
【図１】遊技機の盤面表側を示す斜視図。
【図２】操作スイッチ装置と遊技機を接続する電気系統の概略ブロック図。
【図３】操作スイッチ装置を斜め上方から見た斜視図。
【図４】操作感触変更ユニットを上方から見た平面図。
【図５】操作スイッチ装置を上面側及び下面側から見た分解斜視図。
【図６】操作感触変更ユニットを上面側及び下面側から見た分解斜視図。
【図７】操作感触変更ユニットを上面側から見た組み立て分解斜視図。
【図８】通常負荷未付与状態を示す縦断右側面図。
【図９】通常負荷付与状態を示す縦断右側面図。
【図１０】高負荷未付与状態を示す縦断右側面図。
【図１１】高負荷付与状態を示す縦断右側面図。
【図１２】初期負荷付与直後の状態を示す縦断右側面図。
【図１３】初期負荷から通常負荷へ移行した状態を示す縦断右側面図。
【図１４】変則負荷未付与状態と変則負荷付与状態を示す縦断右側面図。
【図１５】押下操作時の荷重変化を示す説明図。
【図１６】他の操作荷重付与例の変則負荷未付与状態を示す縦断右側面図と、変則負荷付与時の荷重変化を示す説明図。
【図１７】その他の操作荷重付与例を示す縦断右側面図。
【発明を実施するための形態】
【００２０】
この発明の一実施形態を以下図面と共に説明する。  
図１は、弾球遊技機の一例であるパチンコ遊技機である遊技機１の盤面表側を示す斜視図である。  
遊技機１の盤面表側には、上部に遊技面２が設けられ、その下部に、遊技球（以下、球と称す）を打ち出し用に貯留させる上皿４と、払い出し用に球を貯留させる下皿６とが上下に配設されている。下皿６の左部上面には、操作スイッチ装置５が設けられている。遊技機１の右下側には、遊技者の回動操作によって球の打撃力を調整させる球発射用の発射ハンドル７が備えられている。
【００２１】
遊技機１は、この発射ハンドル７の回動量に応じて、盤面裏側の発射装置（図示省略）より球を１球ずつ発射させる。発射された球は、搬送レール３に沿って遊技面２へと供給されて遊技が開始される。そして、操作スイッチ装置５による演出や遊技入力も行われる。
【００２２】
図２は、遊技機１と操作スイッチ装置５を接続する電気系統を示す概略ブロック図である。  
図示するように、操作スイッチ装置５には遊技機コネクタ５５とモータコネクタ５６を設けており、この遊技機コネクタ５５には検知信号ケーブルＫ１の一端を接続し、モータコネクタ５６には駆動信号ケーブルＫ２の一端を接続している。また、検知信号ケーブルＫ１と駆動信号ケーブルＫ２の他端は、遊技機１の制御部９に接続している。  
これにより、操作スイッチ装置５がスイッチＯＮ／ＯＦＦされた検知信号を制御部９に送信し、制御部９から受信するモータ駆動信号やＬＥＤのＯＮ／ＯＦＦ駆動信号といった駆動信号により操作スイッチ装置５が駆動する。
【００２３】
図３は操作スイッチ装置５を斜め上方から見た斜視図、図４はスイッチユニットＵ１を仮想線で示し、操作感触変更ユニットＵ３を実線で示し上方から見た平面図、図５（ａ）は操作スイッチ装置５を上面側から見た分解斜視図、同図（ｂ）は操作スイッチ装置５を下面側から見た分解斜視図、図６（ａ）は操作感触変更ユニットＵ３を上面側から見た分解斜視図、同図（ｂ）は操作感触変更ユニットＵ３を下面側から見た分解斜視図、図７（ａ）（ｂ）（ｃ）は操作感触変更ユニットＵ３を上面側から見た組み立て分解斜視図である。
【００２４】
図５〜図７に示すように、操作スイッチ装置５は、レンズ２０と、拡散シート２５と、レンズ保持部３０とを備えた操作ボタン部Ｕ２と、操作ボタン部Ｕ２及びケース４０と、基板５０とを備えたスイッチユニットＵ１と、回転ケース６０と、ケース保持部７０と、モータ８０と、モータカバー９０とを備えた操作感触変更ユニットＵ３とで構成している。
【００２５】
前記操作ボタン部Ｕ２のレンズ２０は、平面視丸形で高さのある形状であり、底面が開放された内部中空の形状で透明若しくは半透明の素材により形成している。また、レンズ２０の上面は、光による演出が明瞭に見えるように滑らかな凸状曲面に形成している。さらに、レンズ２０の下端側対向縁部には、横長の装着孔２１を縁部に沿って形成している。
【００２６】
拡散シート２５は、レンズ２０の内部空間２２（図５のｂ参照）の内壁に当接する大きさ及び形状を有する平面視丸形のシートであり、透明若しくは半透明の素材によって形成している。また、拡散シート２５の正面には、演出文字２６を凹凸により形成している。
【００２７】
レンズ保持部３０は、平面視丸形で内部が中空のガイド部３１と、ガイド部３１の内側に設けられた３つの接続アーム３５と、該接続アーム３５の底面視中央（中心）に設けられて下方へ突出する円筒形の支持足部３６とを有している。  
ガイド部３１の内側には、接続アーム３５以外の部分が３箇所の空洞となっており、これらの空洞により３つの光通過孔３４を形成している。また、支持足部３６内の底面視中央（中心）には、支持足部３６の下端よりも下方へ突出する柱状の突出部３７を設けている。
【００２８】
支持足部３６の外側には、該支持足部３６及び突出部３７よりも上下に長く、該支持足部３６よりも少し半径大の復帰バネＢ１を配置している。
【００２９】
ガイド部３１の外周上部は、レンズ２０の内部空間２２の下端側内壁と合致する大きさ及び形状に形成している。また、ガイド部３１の外周下部には、フランジ部３２を外周に沿って形成している。このフランジ部３２は、レンズ２０の下端側周縁部が当接される大きさに形成している。  
また、ガイド部３１の対向外周面には、横長の装着突起３３を外周面に沿って形成している。この装着突起３３は、レンズ２０をレンズ保持部３０に装着した際、レンズ２０の装着孔２１に対し係合される。
【００３０】
ガイド部３１の下端側対向縁部には、下方へ突出した後に外側へ突出する抜け止め突起３８をそれぞれ設けている。この抜け止め突起３８は、レンズ保持部３０を後述するケース４０に装着した際、後述する台座部４２の上動規制部４２ａに対し引き抜き不可に係止される。
【００３１】
また、ガイド部３１のフランジ部３２よりも内側下面には、板状のセンサ遮光部３９を下方へ突出して設けている。
【００３２】
ケース４０は、レンズ保持部３０よりも外形が大きく所定の高さを有する形状に形成している。また、ケース４０の内側には、レンズ保持部３０を上下動可能に収納するレンズ収納凹部４１を備え、そのレンズ収納凹部４１の下方には台座部４２を設けている。
【００３３】
台座部４２の奥側中央には、後述する遊技機コネクタ５５を挿入するためのコネクタ用孔４３を設けている。  
台座部４２の中央上面には、上下方向の挿入凹部４４を設けている。この挿入凹部４４は、レンズ保持部３０の支持足部３６とその外周の復帰バネＢ１とがスムーズに挿入される大きさに形成している。  
挿入凹部４４の中央面には、半径小となる挿通孔４５を設けている。また、挿通孔４５の周囲には上方へ起立する円筒部４６を設けている。この円筒部４６は、支持足部３６と突出部３７との対向周面間に対しスムーズに挿入される大きさに形成している。
【００３４】
台座部４２の左右外周には、後述するケース保持部７０を固定する半円柱形の装着部４７を設けている。この装着部４７は、半円柱形で上下方向に長く下端にネジＮ用のネジ孔４８を設けている。
【００３５】
基板５０は、プリント基板部５１の上面に１つのセンサ５２と３つのＬＥＤ５３が設けられ、下面に遊技機コネクタ５５が設けられている。
【００３６】
センサ５２は、上述したレンズ保持部３０のセンサ遮光部３９が挿入される間隔を隔てて投光部と受光部を対向配置している。そして、投光部の光を受光部で受光できるか否かによって、センサ遮光部３９が挿入されたか否かを検知する。また、プリント基板部５１の中央には突出部３７の挿通を許容する挿通孔５４が設けられている。
【００３７】
３つのＬＥＤ５３のＯＮ／ＯＦＦは、制御部９によって独立して制御され、同時発光や順次発光など適宜の発光演出がなされる。この３つのＬＥＤ５３の光は、対向しているレンズ保持部３０の光通過孔３４をまっすぐ通過して拡散シート２５およびレンズ２０を透過する。これにより、拡散シート２５やレンズ２０が発光しているように演出することができる。
【００３８】
次に、上述したスイッチユニットＵ１の各構成要素の組み付け方について説明する。  
図５に示すように、拡散シート２５が収納されたレンズ２０をレンズ保持部３０の上面側開口部に嵌着して操作ボタン部Ｕ２を構成し、基板５０をセンサ５２が上向きとなるようにしてケース４０の内側中央部に収納した後、そのレンズ保持部３０を、ケース４０のレンズ収納凹部４１に収納して嵌め込み固定する。  
このとき、基板５０の遊技機コネクタ５５がケース４０のコネクタ用孔４３に挿通され、基板５０の３つのＬＥＤ５３がレンズ保持部３０の光通過孔３４に対向配置される。また、レンズ保持部３０の突出部３７が、基板５０の挿通孔５４を介して、ケース４０の挿通孔４５に挿入される。これにより、スイッチユニットＵ１を構成する。
【００３９】
前記操作感触変更ユニットＵ３の回転ケース６０は、図６、図７に示すように、上面が開放され下面が閉塞された回転ベース６１と、該回転ベース６１の開口側とほぼ同径に形成された円盤形状の回転パネル６２とで構成している。
【００４０】
回転ベース６１の内側には、該回転ベース６１と同心円で周方向に等間隔を隔てて後述するボタン６５〜６７を配置するとともに、該ボタン６５〜６７を上下移動可能に収納するための収納部６３を備えている。その収納部６３は、該収納部６３の内側中心部を中心として４つの収納室６３ａ，６３ｂ，６３ｃ，６３ｄに分割している。
【００４１】
収納室６３ｂ，６３ｃ，６３ｄの中央面には、後述するボタン６５〜６７の突出部６９を中心として復帰バネ６５ａ，６６ａ，６７ａよりも少し半径小の円筒部６３ｅを設けている。この円筒部６３ｅの内側は、突出部６９がスムーズに挿入される大きさに形成している。
【００４２】
また、収納部６３の内側対向縁部には、回転パネル６２を固定する円柱状の装着部６４，６４を設けている。この装着部６４は、円柱形で上下方向に長く下端にネジＮ用のネジ孔６４ａを設けている。
【００４３】
回転パネル６２は、後述する永久磁石６６ｂにより吸着可能な金属（例えばスチール等）で構成している。また、回転パネル６２の上面には、後述するボタン６５〜６７の上面側中央部に形成された凸状の頭部が挿入される平面視丸形の挿入孔６２ａ，６２ｂ，６２ｃ，６２ｄを形成している。さらに、挿入孔６２ａ〜６２ｄは、回転パネル６２の上面側中心部を中心として周方向に等間隔を隔てて配列している。  
また、回転パネル６２の上面側対向縁部には、上述した回転ベース６１の装着部６４と対応してネジＮ用のネジ孔６２ｅを設けている。
【００４４】
収納室６３ａ以外の収納室６３ｂ，６３ｃ，６３ｄには、平面視丸形のボタン６５，６６，６７を上下移動可能に収納している(図７のａ，ｂ，ｃ参照)。  
ボタン６５〜６７の上面側周縁部は、挿入孔６２ｂ〜６２ｄの下面側周縁部に対し当接される大きさに形成している。つまり、ボタン６５〜６７の頭部は、挿入孔６２ｂ〜６２ｄに挿入された際、ボタン６５〜６７の上面側周縁部が挿入孔６２ｂ〜６２ｄの下面側周縁部に当接されるため、回転パネル６２の上面と略同一高さに規制される。
【００４５】
また、ボタン６５〜６７の対向縁部には、外側に向けて湾曲する平面視弧形のスカート部６８を下方に向けて形成している。また、ボタン６５〜６７の底面視中央（中心）には、スカート部６８の下端よりも下方へ突出する柱状の突出部６９を設けている。
【００４６】
さらに、ボタン６５〜６７の下方には、該スカート部６８及び突出部６９よりも上下に長く、該スカート部６８，６８間よりも少し半径小の復帰バネ６５ａ，６６ａ，６７ａをそれぞれ配置している。つまり、ボタン６５〜６７は、復帰バネ６５ａ〜６７ａの復元力によって挿入孔６２ｂ〜６２ｄに対し頭部が挿入される方向に常時付勢されている。
【００４７】
復帰バネ６５ａは、線径が太い高荷重のコイルバネで構成され、ボタン６５のスカート部６８，６８の内側に配置している（図７のａ及び図１０、図１１参照）。また、復帰バネ６６ａ，６７ａは、復帰バネ６５ａよりも線径が細い低荷重のコイルバネで構成され、ボタン６６，６７のスカート部６８，６８の内側にそれぞれ配置している(図７のｂ，ｃ参照)。
【００４８】
復帰バネ６５ａは、スイッチユニットＵ１の押下操作時に付加される荷重が復帰バネ６６ａ，６７ａの約１０倍となり、極度な荷重変化を実現することができる。
【００４９】
ボタン６６の上面側周縁部には、リング状の永久磁石６６ｂを挿入孔６２ｃの下面側周縁部と対向して固定している。つまり、永久磁石６６ｂの吸着力によって、ボタン６５の上面側周縁部が挿入孔６２ｃの下面側周縁部に対し吸着固定される（図１２、図１３参照）。
【００５０】
ボタン６７の一方のスカート部６８には、横長の突起６８ａを、該スカート部６８の外面に沿って上下方向に等間隔で複数本形成している（図１４のａ，ｂ参照）。
【００５１】
また、収納室６３ｄ内の角隅部には、一方のスカート部６８と対応して板バネ６７Ｂを固定する固定部６３ｆを設けている。その固定部６３ｆには、ネジＮ用のネジ孔６３ｇを設けている。
【００５２】
板バネ６７Ｂは、一方のスカート部６８の外面に当接する幅に形成された側面視Ｌ字形の弾性板であり、その板バネ６７Ｂの一端側には、ネジＮ用の取付け孔６７Ｂａを形成している。また、板バネ６７Ｂの他端側には、スカート部６８の突起６８ａ間に対し係合される側面視三角形の当接部６７Ｂｂを形成している。  
板バネ６７Ｂを固定部６３ｆに固定する場合、板バネ６７Ｂの一端側を、取付け孔６７Ｂａに挿通したネジＮで固定部６３ｆに固定し、板バネ６７Ｂの当接部６７Ｂｂを、スカート部６８の凹凸を有する突起６８ａ間に係合する（図１４のａ，ｂ参照）。
【００５３】
ケース保持部７０は、上述したケース４０よりも外形が大きく所定の高さを有する上面が開放され下面が閉塞されたケースであり、ケース保持部７０の内側上部には、上述した回転ケース６０を水平回転可能に収納するケース収納凹部７１を備え、該ケース収納凹部７１よりも下方の内側下部には後述する大径ギア７８ａと小径ギア７８ｂを収納するギア収納凹部７２を備えており、そのギア収納凹部７２の下方には台座部７３を設けている。
【００５４】
また、ケース保持部７０の左右外周には、上述したケース４０の装着部４７と対応して装着アーム７４をそれぞれ設けている。この装着アーム７４には、ネジＮ用のネジ孔７５を設けている。
【００５５】
ギア収納凹部７２の後述する小径ギア７８ｂと対応する一側外周には、後述するモータカバー９０を固定する半円柱状の装着部７６，７６を設けている。この装着部７６は、半円柱形で上下方向に長く下端にネジＮ用のネジ孔７７を設けている。
【００５６】
ギア収納凹部７２には、該ギア収納凹部７２の中央部に配置された大径ギア７８ａと、その大径ギア７８ａの側部に配置された小径ギア７８ｂとを互いに噛合して収納している。  
大径ギア７８ａの中心部には、ギア収納凹部７２の中心部に軸受された回転軸７９の下端側が垂直固定される。また、小径ギア７８ｂの中心部には、後述するモータ８０の回転軸８１が垂直固定される。さらに、回転軸７９の上端側は、上述した回転ベース６１の下面側中心部に垂直固定される。
【００５７】
モータ８０は、該モータ８０の上面側中心部に回転軸８１を突出している。また、モータ８０の左右外周には、上述したケース保持部７０の装着部７６と対応して装着アーム８２をそれぞれ設けている。この装着アーム８２には、ネジＮ用のネジ孔８３を設けている。なお、モータ８０の一側周面には、上述したモータコネクタ５６を設けている。  
つまり、回転ケース６０を、大径ギア７８ａ及び小径ギア７８ｂを介して、モータ８０の駆動力により図４に示す矢印方向Ｘへ９０度ずつ間欠回転するとともに、回転パネル６２の挿入孔６２ａ〜６２ｄを、ケース４０の挿通孔４５と連通する位置に順次回転移動する。
【００５８】
モータカバー９０は、上面が開放されて内部にモータ８０を収納するカバーであり、モータカバー９０の内側には、上述したモータ８０を収納するモータ収納凹部９１を備えている。また、モータ収納凹部９１の一側壁部には、モータ８０に設けられたモータコネクタ５６をモータカバー９０の外部に突出するための窓部９２を切欠き形成している。
【００５９】
また、モータカバー９０の左右外周には、上述したケース保持部７０の装着部７６と対応して装着アーム９３をそれぞれ設けている。この装着アーム９３には、ネジＮ用のネジ孔９４を設けている。  
次に、上述した操作感触変更ユニットＵ３の各構成要素の組み付け方について説明する。  
図６に示すように、ボタン６５と復帰バネ６５ａを、回転ベース６１の収納室６３ｂに収納し（図７のａ参照）、ボタン６６と復帰バネ６６ａと永久磁石６６ｂを、回転ベース６１の収納室６３ｃに収納し（図７のｂ参照）、ボタン６７と復帰バネ６７ａと板バネ６７Ｂを、回転ベース６１の収納室６３ｄに収納する（図７のｃ参照）。
【００６０】
次に、回転パネル６２の挿入孔６２ａ〜６２ｄと、回転ベース６１の収納室６３ａ〜６３ｄとを対応させて、回転ベース６１を回転パネル６２の上面側開口部にネジＮで固定して回転ケース６０を構成する。
【００６１】
回転ケース６０をケース保持部７０のケース収納凹部７１に収納する際、回転ケース６０と、ギア収納凹部７２に収納された大径ギア７８ａとを回転軸７９で直結する。また、モータ８０が収納されたモータカバー９０を、ケース保持部７０の下面側にネジＮで固定する際、モータ８０の回転軸８１を、ギア収納凹部７２に収納された大径ギア７８ａと噛合する小径ギア７８ｂに直結して、操作感触変更ユニットＵ３を構成する。
【００６２】
この後、スイッチユニットＵ１を構成するケース４０の挿通孔４５と、操作感触変更ユニットＵ３を構成する回転パネル６２の挿入孔６２ａ〜６２ｄのいずれか一つの孔とを連通させて、スイッチユニットＵ１と操作感触変更ユニットＵ３とをネジＮで固定することにより、操作スイッチ装置５が構成される。
【００６３】
次に、上述した操作スイッチ装置５の機能について説明する。  
先ず、操作ボタン部Ｕ２の押下操作時において通常負荷を付与する場合、操作感触変更ユニットＵ３の回転ケース６０をモータ８０により矢印方向Ｘへ９０度水平回転して、回転ケース６０の空の収納室６３ａ、すなわち、その収納室６３ａと対応する回転パネル６２の挿入孔６２ａを、スイッチユニットＵ１のケース４０の挿通孔４５と連通する位置に回転停止する（図８参照）。
【００６４】
次に、操作ボタン部Ｕ２を、復帰バネＢ１の復元力に抗して押下操作するとともに、レンズ保持部３０の突出部３７をケース４０の挿通孔４５よりも下方に突出して、突出部３７の下端を回転パネル６２の挿入孔６２ａに挿入する。しかし、突出部３７の下端には何も当接されず、操作感触変更ユニットＵ３から操作荷重が付与されることがない（図９参照）。
【００６５】
その操作ボタン部Ｕ２の押し下げにより、復帰バネＢ１を圧縮して復元力を蓄積する。つまり、操作ボタン部Ｕ２の押し下げ位置に比例して、復帰バネＢ１に蓄積される復元力が大きくなるので、操作ボタン部Ｕ２に付与される操作荷重が徐々に増加することになる（図１５のａ参照）。
【００６６】
これにより、操作ボタン部Ｕ２に対し通常負荷による操作荷重を付与することができる。
【００６７】
次に、操作ボタン部Ｕ２の押下操作時において高負荷を付与する場合、操作感触変更ユニットＵ３の回転ケース６０をモータ８０により矢印方向Ｘへ９０度水平回転して、回転ケース６０の収納室６３ｂ、すなわち、その収納室６３ｂと対応する回転パネル６２の挿入孔６２ｂを、スイッチユニットＵ１のケース４０の挿通孔４５と連通する位置に回転停止する（図１０参照）。
【００６８】
次に、操作ボタン部Ｕ２を、復帰バネＢ１の復元力に抗して押下操作するとともに、レンズ保持部３０の突出部３７をケース４０の挿通孔４５よりも下方に突出して、突出部３７の下端を回転パネル６２の挿入孔６２ｂに挿入された押下部６５の頭部に当接する（図１１参照）。
【００６９】
その突出部３７によって押下部６５を押し下げるとともに、線径の太い高負荷の復帰バネ６５ａを圧縮して復元力を蓄積する。つまり、押下部６５の押し下げ位置に比例して、復帰バネ６５ａに蓄積される復元力が大きくなるので、操作ボタン部Ｕ２に付与される操作荷重が増加することになる（図１５のｂ参照）。
【００７０】
つまり、操作ボタン部Ｕ２の押下操作によって復帰バネＢ１と復帰バネ６５ａとを圧縮するので、上述の通常負荷付与時よりも大きな負荷が付与される。  
これにより、操作ボタン部Ｕ２に対し高負荷の操作荷重を付与することができる。
【００７１】
次に、操作ボタン部Ｕ２の押下操作時において初期負荷を付与する場合、操作感触変更ユニットＵ３の回転ケース６０をモータ８０により矢印方向Ｘへ９０度水平回転して、回転ケース６０の収納室６３ｃ、すなわち、その収納室６３ｃと対応する回転パネル６２の挿入孔６２ｃを、スイッチユニットＵ１のケース４０の挿通孔４５と連通する位置に回転停止する（図１２参照）。
【００７２】
次に、操作ボタン部Ｕ２を、復帰バネＢ１の復元力に抗して押下操作するとともに、レンズ保持部３０の突出部３７をケース４０の挿通孔４５よりも下方に突出して、突出部３７の下端を回転パネル６２の挿入孔６２ｃに挿入された押下部６６の頭部に当接する（図１３参照）。
【００７３】
この時、永久磁石６６ｂの吸着力に抗して、押下部６６の上面側周縁部を挿入孔６２ｃの下面側周縁部から強制的に引き離すので、大きな初期荷重が付加されることになる（図１５のｃ参照）。
【００７４】
操作ボタン部Ｕ２が押下操作されない状態になると、復帰バネ６６ａにより、押下部６６は元の位置に復帰する。
【００７５】
次に、操作ボタン部Ｕ２の押下操作時において変則負荷を付与する場合、操作感触変更ユニットＵ３の回転ケース６０をモータ８０により矢印方向Ｘへ９０度水平回転して、回転ケース６０の収納室６３ｄ、すなわち、その収納室６３ｄと対応する回転パネル６２の挿入孔６２ｄを、スイッチユニットＵ１のケース４０の挿通孔４５と連通する位置に回転停止する（図１４のａ参照）。
【００７６】
次に、操作ボタン部Ｕ２を、復帰バネＢ１の復元力に抗して押下操作するとともに、レンズ保持部３０の突出部３７をケース４０の挿通孔４５よりも下方に突出して、突出部３７の下端を回転パネル６２の挿入孔６２ｄに挿入された押下部６７の頭部に当接する（図１４のｂ参照）。
【００７７】
操作ボタン部Ｕ２を押下操作した際、板バネ６７Ｂの当接部６７Ｂｂがスカート部６８の突起６８ａを乗り越えて、上段側の突起６８ａ間に係合するとともに、板バネ６７Ｂの復元力に抗して、該板バネ６７Ｂの当接部６７Ｂｂがスカート部６８の突起６８ａ間に順次係合する。
【００７８】
つまり、板バネ６７Ｂの当接部６７Ｂｂがスカート部６８の突起６８ａを乗り越える際、板バネ６７Ｂに蓄積される復元力が大きくなるので、操作ボタン部Ｕ２に対し変則負荷が断続して付与されることになる（図１５のｄ参照）。  
操作ボタン部Ｕ２が押下操作されない状態になると、復帰バネ６７ａにより、押下部６７は元の位置に復帰する。
【００７９】
上述した操作スイッチ装置５によれば、操作ボタンＵ２の操作荷重を遊技者が感じられるほど極端に変化させることができるとともに、その操作荷重を複数パターンに変化させることができるので、遊技者にインパクトのある演出効果を与えることができる。
【００８０】
図１６（ａ）は他の操作荷重付与例の変則負荷付与状態を示す縦断右側面図、同図（ｂ）は変則負荷付与時の荷重変化を示す説明図である。
【００８１】
本例の構成を説明すると、ボタン６７の一方のスカート部６８の外面に、複数の永久磁石１０１を、該スカート部６８の外面に沿って上下方向に配列している。また、永久磁石１０１…のＮ極（図中に示す黒色部分）とＳ極（図中に示す梨地部分）とを、後述する永久磁石１０２と対向する方向に向けて交互に配列している。
【００８２】
ボタン６７を収容する収納室６３ｄの固定部６３ｆには、側面視Ｌ字形に形成された磁石支持板１０３の一端側をネジＮで固定している。また、磁石支持板１０１の他端側には、上述したスカート部６８に配列された１つの永久磁石１０１と対向して永久磁石１０２を固定している。
【００８３】
つまり、操作ボタン部Ｕ２を押下操作して、ボタン６７のスカート部６８に配列した永久磁石１０１…を、磁石支持板１０３の永久磁石１０２と対向する位置へ順次移動させる。
【００８４】
永久磁石１０１と対向する永久磁石１０２の極性がＮ極及びＳ極の順に変化するので、永久磁石１０１と永久磁石１０２の極性が異なれば互いに吸着される。また、永久磁石１０１と永久磁石１０２の極性が同一であれば互いに反発しあうことになる。  
その永久磁石１０１，１０２の吸着と反発の繰り返しにより、操作ボタン部Ｕ２に対し抵抗が変則的に付与されることになる（図１６のｂ参照）。
【００８５】
これにより、操作ボタン部Ｕ２に対し変則負荷による操作荷重を付与することができ、前記実施形態と略同等の作用及び効果を奏することができる。  
【００８６】
図１７はその他の操作荷重付与例を示す縦断右側面図である。  
本例の構成を説明すると、回転ベース６１の収納室６３ｃに形成した円筒部６３ｅの内側底部に、柔軟性を有する弾性ゴム６６Ｂを収納している。
【００８７】
すなわち、操作ボタン部Ｕ２の押下操作により、レンズ保持部３０の突出部３７をケース４０の挿通孔４５よりも下方に突出し、突出部３７の下端を回転パネル６２の挿入孔６２ｃに挿入された押下部６６の頭部に当接する。
【００８８】
その突出部３７によって押下部６６を押し下げるとともに、押下部６６の突出部６９を円筒部６３ｅの弾性ゴム６６Ｂに押し当てて、弾性ゴム６６Ｂの全体を圧縮変形させる。
【００８９】
つまり、押下部６６の突出部６９を弾性ゴム６６Ｂに押し付けた際、弾性ゴム６６Ｂの全体が変形するので、復帰バネ６５ａ〜６７ａを圧縮するのとは異なる操作荷重或いは操作感触が操作ボタン部Ｕ２に付与されることになり、前記実施形態と略同等の作用及び効果を奏することができる。  
この発明の構成と、前記実施形態との対応において、  
この発明の遊技部は、実施形態の遊技面２に対応し、  
以下同様に、  
遊技媒体投入部は、上皿４に対応し、  
遊技媒体払い出し部は、下皿６に対応し、  
押下検知部は、センサ５２に対応し、  
復帰手段は、復帰バネＢ１に対応し、  
ケーシングは、ケース４０に対応し、  
操作ボタンは、操作ボタン部Ｕ２に対応し、  
操作荷重付与手段は、復帰バネ６５ａ〜６７ａと、板バネ６７Ｂ及びスカート部６８の突起６８ａと、永久磁石１０１，１０２と、弾性ゴム６６Ｂとに対応するも、
この発明は、上述の実施形態の構成のみに限定されるものではなく、請求項に示される技術思想に基づいて応用することができ、多くの実施の形態を得ることができる。
【００９０】
例えば回転ベース６１の外周面に形成したボール収納凹部に対し出没可能に収納保持され、該ボール収納凹部に装填したコイルスプリングにより突出方向に付勢されたボールを、回転ベース６１の収納室６３ａ〜６３ｄと対応してケース保持部７０の内周面に形成した４箇所の凹部に順次係合して、回転パネル６２の挿入孔６２ａ〜６２ｄを、ケース４０の挿通孔４５と連通する位置に９０度ずつ回転停止してもよい。
【産業上の利用可能性】
【００９１】
この発明は、遊技媒体を用いる遊技機に用いることができ、特に遊技に関連して押下操作を求める遊技機に適宜用いることができる。
【符号の説明】
【００９２】
１…遊技機
２…遊技面
５…操作スイッチ装置
９…制御部
Ｕ１…スイッチユニット
Ｕ２…操作ボタン部
Ｕ３…操作感触変更ユニット
Ｂ１…復帰バネ
３０…レンズ保持部
３７…突出部
４０…ケース
４５…挿通孔
６０…回転ケース
６２…回転パネル
６２ａ〜６２ｄ…挿入孔
６３…収納部
６３ａ〜６３ｄ…収納室
６５〜６７…押下部
６５ａ〜６７ａ…復帰バネ
６６ｂ…永久磁石
６６Ｂ…弾性ゴム
６７Ｂ…板バネ
６７Ｂｂ…当接部
６８ａ…突起
６９…突出部
７０…ケース保持部
７８ａ…大径ギア
７８ｂ…小径ギア
８０…モータ
１０１，１０２…永久磁石
【図１】
2012029817.tif 000003
【図２】
2012029817.tif 000004
【図３】
2012029817.tif 000005
【図４】
2012029817.tif 000006
【図５】
2012029817.tif 000007
【図６】
2012029817.tif 000008
【図７】
2012029817.tif 000009
【図８】
2012029817.tif 000010
【図９】
2012029817.tif 000011
【図１０】
2012029817.tif 000012
【図１１】
2012029817.tif 000013
【図１２】
2012029817.tif 000014
【図１３】
2012029817.tif 000015
【図１４】
2012029817.tif 000016
【図１５】
2012029817.tif 000017
【図１６】
2012029817.tif 000018
【図１７】
2012029817.tif 000019